(57)【要約】【課題】携帯型音響装置の無駄な電力消費を抑えることが可能となる据置型音響装置および楽曲ファイル再生制御システムを提供する。【解決手段】携帯型音響装置１００が、ストリーミング再生しようとしている楽曲ファイルの楽曲情報を無線通信によりナビゲーション装置２００へ伝送すると、ナビゲーション装置２００は、伝送された楽曲情報と一致するメタデータを有する楽曲ファイルが自己に記憶されているか判定し、もし記憶されている場合は、その旨を無線通信により携帯型音響装置１００へ通知し、自己に記憶された楽曲ファイルの音声データをスピーカ２０から再生させ、前記通知により携帯型音響装置１００は、ストリーミング再生を実施しない。【選択図】図１
2011137977.tif 000002
【特許請求の範囲】
【請求項１】
携帯型音響装置に記憶された楽曲ファイルの音声データを通信により前記携帯型音響装置から受信し、受信した音声データを音声発生部から再生させることが可能な据置型音響装置において、
前記携帯型音響装置に記憶された楽曲ファイルの楽曲情報を通信により前記携帯型音響装置から受信すると、受信した楽曲情報と一致する情報を有する楽曲ファイルが自己に記憶されているか判定し、
記憶されている場合、その楽曲ファイルの音声データを前記音声発生部から再生し、
記憶されていない場合、前記携帯型音響装置に記憶された楽曲ファイルの音声データを通信により前記携帯型音響装置から受信し、受信した音声データを前記音声発生部から再生させる、ことを特徴とする据置型音響装置。
【請求項２】
前記携帯型音響装置に表示されたユーザが選択するための画面における選択結果に応じた指示を通信により前記携帯型音響装置から受信し、
受信した指示に応じて、自己に記憶された楽曲ファイルの音声データを前記音声発生部から再生するか、前記携帯型音響装置に記憶された楽曲ファイルの音声データを通信により前記携帯型音響装置から受信し、受信した音声データを前記音声発生部から再生させるかを切替える、ことを特徴とする請求項１に記載の据置型音響装置。
【請求項３】
前記楽曲情報は、楽曲名、アーティスト名、アルバム名のうち少なくとも楽曲名を含むことを特徴とする請求項１または請求項２に記載の据置型音響装置。
【請求項４】
前記携帯型音響装置との通信は、無線通信であることを特徴とする請求項１〜請求項３のいずれかに記載の据置型音響装置。
【請求項５】
前記据置型音響装置は車両搭載用であることを特徴とする請求項１〜請求項４のいずれかに記載の据置型音響装置。
【請求項６】
携帯型音響装置と据置型音響装置とを備え、前記携帯型音響装置が自己に記憶された楽曲ファイルの音声データを通信により前記据置型音響装置へ伝送し、前記据置型音響装置が伝送された音声データを音声発生部から再生させる楽曲ファイル再生制御システムにおいて、
前記携帯型音響装置が、自己に記憶された楽曲ファイルの楽曲情報を通信により前記据置型音響装置へ伝送すると、前記据置型音響装置は、伝送された楽曲情報と一致する情報を有する楽曲ファイルが自己に記憶されているか判定し、
記憶されている場合、前記据置型音響装置は、自己に記憶された楽曲ファイルの音声データを前記音声発生部から再生させ、
記憶されていない場合、前記据置型音響装置は、前記携帯型音響装置から伝送された音声データを前記音声発生部から再生させる、ことを特徴とする楽曲ファイル再生制御システム。
【発明の詳細な説明】
【技術分野】
【０００１】
本発明は、携帯型音響装置および据置型音響装置による楽曲ファイル再生制御に関する。
【背景技術】
【０００２】
昨今、ＭＰ３（MPEG-1 Audio Layer-3）ファイルなどの楽曲ファイルを内部のメモリやハードディスクなどに記憶でき、楽曲ファイルを再生することができる小型で携帯可能な携帯型音響装置が様々に開発されている。一方、据置型である車載用ナビゲーション装置や車載用オーディオ機器などにも、楽曲ファイルを内部のメモリやハードディスクなどに記憶でき、楽曲ファイルを再生することができるものが開発されている。そして、携帯型音響装置と据置型音響装置とからなる再生制御システムも様々に提案されている（例えば、特許文献１、２）。
【０００３】
ここで、従来、携帯型音響装置に記憶された楽曲ファイルの音声データを携帯型音響装置から無線通信で据置型音響装置に伝送し、据置型音響装置において伝送された音声データをスピーカから再生するストリーミング再生と呼ばれる再生方法が開発されている。
【先行技術文献】
【特許文献】
【０００４】
【特許文献１】特開２００３−７０４０号公報
【特許文献２】特開２００９−１４７５７５号公報
【発明の概要】
【発明が解決しようとする課題】
【０００５】
しかし、従来の携帯型音響装置では、ストリーミング再生させる楽曲と同じ楽曲が据置型音響装置に記憶されていた場合でも、ストリーミング再生を行っていたので、無駄に携帯型音響装置の電力を消費していると言え、低消費電力が望ましい携帯型音響装置にとっては望ましくないといった問題があった。
【０００６】
上記問題点を鑑み、本発明は、携帯型音響装置の無駄な電力消費を抑えることが可能となる据置型音響装置および楽曲ファイル再生制御システムを提供することを目的とする。
【課題を解決するための手段】
【０００７】
上記目的を達成するために本発明は、携帯型音響装置に記憶された楽曲ファイルの音声データを通信により前記携帯型音響装置から受信し、受信した音声データを音声発生部から再生させることが可能な据置型音響装置において、
前記携帯型音響装置に記憶された楽曲ファイルの楽曲情報を通信により前記携帯型音響装置から受信すると、受信した楽曲情報と一致する情報を有する楽曲ファイルが自己に記憶されているか判定し、
記憶されている場合、その楽曲ファイルの音声データを前記音声発生部から再生し、
記憶されていない場合、前記携帯型音響装置に記憶された楽曲ファイルの音声データを通信により前記携帯型音響装置から受信し、受信した音声データを前記音声発生部から再生させる構成としている。
【０００８】
このような構成によれば、携帯型音響装置に記憶された楽曲と同じ楽曲が据置型音響装置に記憶されていれば、据置型音響装置側で楽曲を再生し、携帯型音響装置への通知により、携帯型音響装置は据置型音響装置へ楽曲の音声データを伝送することを実施しないことが可能となるので、低消費電力が望ましい携帯型音響装置の無駄な電力消費を抑えることが可能となる。
【０００９】
また、上記構成において、前記携帯型音響装置に表示されたユーザが選択するための画面における選択結果に応じた指示を通信により前記携帯型音響装置から受信し、
受信した指示に応じて、自己に記憶された楽曲ファイルの音声データを前記音声発生部から再生するか、前記携帯型音響装置に記憶された楽曲ファイルの音声データを通信により前記携帯型音響装置から受信し、受信した音声データを前記音声発生部から再生させるかを切替える構成としてもよい。
【００１０】
このような構成によれば、携帯型音響装置に記憶された楽曲と同じ楽曲が据置型音響装置に記憶されていれば、ユーザは、携帯型音響装置に表示された選択用の画面から据置型音響装置側の楽曲ファイルを再生するか、携帯型音響装置側の楽曲ファイルを再生するかを選択することができる。
【００１１】
また、上記いずれかの構成において、前記楽曲情報は、楽曲名、アーティスト名、アルバム名のうち少なくとも楽曲名を含むようにしてもよい。
【００１２】
また、上記いずれかの構成において、前記携帯型音響装置との通信は、無線通信であるようにしてもよい。無線通信であると有線通信と異なり、据置型音響装置から携帯型音響装置への電源供給は困難となるので、携帯型音響装置の低消費電力がより望ましくなり、本発明の効果がより有効となる。
【００１３】
また、上記いずれかの構成において、前記据置型音響装置は車両搭載用であるようにしてもよい。据置型音響装置が車両搭載用であると、携帯型音響装置を出先で使用することとなり低消費電力がより望ましくなり、本発明の効果がより有効となる。
【００１４】
また、上記目的を達成するために本発明は、携帯型音響装置と据置型音響装置とを備え、前記携帯型音響装置が自己に記憶された楽曲ファイルの音声データを通信により前記据置型音響装置へ伝送し、前記据置型音響装置が伝送された音声データを音声発生部から再生させる楽曲ファイル再生制御システムにおいて、
前記携帯型音響装置が、自己に記憶された楽曲ファイルの楽曲情報を通信により前記据置型音響装置へ伝送すると、前記据置型音響装置は、伝送された楽曲情報と一致する情報を有する楽曲ファイルが自己に記憶されているか判定し、
記憶されている場合、前記据置型音響装置は、自己に記憶された楽曲ファイルの音声データを前記音声発生部から再生させ、記憶されていない場合、前記据置型音響装置は、前記携帯型音響装置から伝送された音声データを前記音声発生部から再生させる構成としている。
【発明の効果】
【００１５】
本発明によれば、携帯型音響装置の無駄な電力消費を抑えることが可能となる。
【図面の簡単な説明】
【００１６】
【図１】本発明に係る携帯型音響装置と本発明に係るナビゲーション装置の概略構成を示す図である。
【図２】本発明に係る携帯型音響装置と本発明に係るナビゲーション装置による楽曲ファイル再生制御を示すフローチャートである。
【図３】本発明に係る携帯型音響装置と本発明に係るナビゲーション装置による楽曲ファイル再生制御の変形例を示すフローチャートである。
【図４】携帯型音響装置に表示される選択用画面の一例を示す図である。
【発明を実施するための形態】
【００１７】
以下に本発明の実施形態を図面を参照して説明する。ここでは、本発明の据置型音響装置として、車載用ナビゲーション装置を例に挙げて説明する。
【００１８】
図１に、本発明に係る携帯型音響装置１００と、本発明に係る据置型音響装置であるナビゲーション装置２００の概略構成を示す。
【００１９】
携帯型音響装置１００は、小型で携帯可能な楽曲ファイル再生装置であり、記憶装置１と、通信部２と、表示部３と、音源回路部４と、音声処理部５と、操作部６と、制御部７と、音声端子８とを備えている。音声端子８には、イヤホン９が接続される。
【００２０】
記憶装置１は、ＨＤＤ（Hard Disk Drive）やメモリＩＣチップなどから構成され、楽曲ファイルが記憶される。なお、楽曲ファイルは、楽曲名、アーティスト名、アルバム名などのメタデータと、ＭＰ３などのエンコード形式でエンコードされた音声データとから構成される。
【００２１】
通信部２は、Ｂｌｕｅｔｏｏｔｈ、Ｗｉ−Ｆｉ（Wireless Fidelity）、ＩｒＤＡ（Infrared Data Association）などの規格に準拠した無線通信をナビゲーション装置２００の通信部１４との間で行い、音声データを通信部１４へ送信したり、制御系データを通信部１４との間で送受信したりする。
【００２２】
表示部３は、ＬＣＤなどで構成され、楽曲ファイルのリストや再生状況など各種情報を表示する。音源回路部４は、制御部７からのデジタル音声信号をアナログ音声信号に変換し、アナログ音声信号を音声端子８を介してイヤホン９に出力する。イヤホン９は、ユーザの耳に装着され、入力されるアナログ音声信号に基づき音声を発生する。
【００２３】
音声処理部５は、ＭＰ３などのエンコード形式でエンコードされた音声データをデコードする機能や、音声データをＳＢＣなどのエンコード形式でエンコードする機能を有する。
【００２４】
操作部６は、各種キーで構成され、携帯型音響装置１００に指示を与えることができる。制御部７は、ＣＰＵ、ＲＡＭ、ＲＯＭなどで構成され、携帯型音響装置１００を統括的に制御する。
【００２５】
通常再生時は、制御部７が記憶装置１から楽曲ファイルの音声データを読み出して音声処理部５に送り、音声処理部５が音声データのデコードを行い、制御部７がデコードされた音声データを音源回路部４に送り、音源回路部４においてデジタル音声信号がアナログ音声信号に変換され、イヤホン９から楽曲の音声が発生される。また、携帯型音響装置１００は、通常再生機能に加え、ストリーム再生機能を有するが、これについては後述する。
【００２６】
また、ナビゲーション装置２００は、車両搭載用であって、ＧＰＳ（Global Positioning System）衛星から受信した電波に基づいて車両の現在地（自車位置）を特定し、自車位置とともにその付近の地図が示されたナビゲーション画面を表示して、誘導経路に沿って車両を目的地まで誘導することを主たる機能としているが、楽曲ファイルの再生機能も有している。
【００２７】
ナビゲーション装置２００は、ＧＰＳ部１０と、ジャイロセンサ１１と、車速センサ１２と、インターフェース部１３と、通信部１４と、記憶装置１５と、描画部１６と、表示制御部１７と、表示部１８と、音源回路部１９と、スピーカ２０と、音声処理部２１と、インターフェース部２２と、ハードキー２３と、位置検出部２４と、タッチパネル２５と、制御部２６とを備えている。
【００２８】
ＧＰＳ部１０は、受信アンテナおよびチューナ等で構成されており、ＧＰＳ衛星から受信した電波を処理して測位用データを取り出す。取り出された測位用データは、インターフェース部１３を介して制御部２６に送られる。制御部２６は、ＧＰＳ部１０から送られた測位用データに基づいて自車位置を特定する。
【００２９】
ナビゲーション装置２００は、いわゆるハイブリッド方式を採用しており、車両の向きを検出するためのジャイロセンサ１１と、車両の速度を検出するための車速センサ１２も併用する。ジャイロセンサ１１や車速センサ１２の検出信号はインターフェース部１３を介して制御部２６に送られ、制御部２６はそれらの信号に基づいて車両の向きや速度を特定する。
【００３０】
通信部１４は、上述したように、携帯型音響装置１００の通信部２との間で無線通信を行う。
【００３１】
制御部２６は、ナビゲーション装置２００の制御を統括的に行うとともに、車両位置の特定や経路探索等の各種処理を実行する。制御部２６は、例えばマイクロコンピュータで構成されており、ＣＰＵ、ＲＡＭ、ＲＯＭを含んでいる。
【００３２】
記憶装置１５には、ＨＤＤやメモリＩＣチップなどを採用でき、ナビゲーション画面の表示や経路探索などに必要となる地図データベースが格納される。また、記憶装置１５には、楽曲ファイルも格納される。
【００３３】
地図データベースには、地図データ、地図データに基づいてナビゲーション画面を描画する際に参照される描画パラメータ、各種検索にて参照される索引データ、経路誘導用やその他の用途の音声の生成に使用される音声データ等が含まれている。そして、制御部２６は、実行する動作に必要なデータを地図データベースから部分的に取り出して参照する。
【００３４】
描画部１６は、描画専用のＣＰＵ等を含むＩＣチップであって、制御部２６からの指示に基づいて、ナビゲーション画面の画像データや操作画面の画像データ等を作成する。描画部１６で作成された画像データは、表示制御部１７に送られ、表示制御部１７が有するＲＡＭに記憶される。表示制御部１７は、記憶した画像データに基づいて表示部１８に画像表示用の信号を送り、表示部１８の表示領域に画像データに係る画面を表示させる。表示部１８には、ＬＣＤや有機ＥＬディスプレイなどが用いられる。
【００３５】
音源回路部１９は、制御部２６から送られた音声データに基づいて、経路誘導用やその他の用途のアナログ音声信号、並びに楽曲のアナログ音声信号を生成する。生成されたアナログ音声信号に基づきスピーカ２０は音声を発生する。
【００３６】
音声処理部２１は、ＭＰ３、ＳＢＣなどのエンコード形式でエンコードされた音声データをデコードする機能を有する。
【００３７】
ハードキー２３およびタッチパネル２５は、ナビゲーション装置２００に指示を与えるためのものである。ハードキー２３を構成するキーの１つが押下されると、そのキーの押下を通知する信号がインターフェース部２２を介して制御部２６に送られる。
【００３８】
タッチパネル２５は、例えば、格子状に配置された透明な電極を有する感圧式のパネルであって、表示部１８の表示領域上に配設される。タッチパネル２５が押下されると、位置検出部２４は、タッチパネル２５から送られた電圧信号に基づいて、押下された位置の座標情報を通知する信号を生成する。この信号は、インターフェース部２２を介して制御部２６に送られる。
【００３９】
通常再生時は、制御部２６が記憶装置１５から楽曲ファイルの音声データを読み出して音声処理部２１に送り、音声処理部２１が音声データのデコードを行い、制御部２６がデコードされた音声データを音源回路部１９に送り、スピーカ２０から楽曲の音声が発生される。
【００４０】
また、ストリーミング再生について説明すると、携帯型音響装置１００の制御部７が記憶装置１から楽曲ファイルの音声データを読み出して音声処理部５に送り、音声処理部５は送られた音声データを一旦デコードした後、無線通信用にエンコードする。エンコード形式は、無線規格がＢｌｕｅｔｏｏｔｈの場合、ＳＢＣを用いるとよい。そして、制御部７はエンコードされた音声データを通信部２に送り、通信部２は送られた音声データを無線信号に変換してナビゲーション装置２００の通信部１４へ伝送する。
【００４１】
そして、通信部１４は、伝送された無線信号を受信し、エンコードされた音声データに戻し、制御部２６は、エンコードされた音声データを音声処理部２１に送る。そして、音声処理部２１はエンコードされた音声データをデコードし、制御部２６がデコードされた音声データを音源回路部１９に送り、スピーカ２０から楽曲の音声が発生される。
【００４２】
次に、携帯型音響装置１００とナビゲーション装置２００による楽曲ファイル再生制御について図２のフローチャートを用いて説明する。
【００４３】
図２に示す処理は、携帯型音響装置１００の操作部６によりストリーミング再生開始操作が行われると開始される。まず、ステップＳ１で、携帯型音響装置１００の制御部７は、ストリーミング再生しようとしている楽曲ファイルのメタデータを楽曲情報として通信部２を介して通信部１４に伝送する。ここで、楽曲情報としては、楽曲名、アーティスト名並びにアルバム名を伝送するとよい。なお、必ずしもこれら３つのデータを伝送しなくてもよく、少なくとも楽曲名を伝送すればよい。
【００４４】
そして、ステップＳ６で、ナビゲーション装置２００の制御部２６が通信部１４を介して楽曲情報を受信すると、ステップＳ７に進み、制御部２６は、受信した楽曲情報と一致するメタデータを有する楽曲ファイルが記憶装置１５に記憶されているか判定する。
【００４５】
もし、そのような楽曲ファイルが記憶装置１５に記憶されていれば（ステップＳ７のＹ）、ステップＳ８に進み、制御部２６は、その旨を通知する通知データを通信部１４を介して通信部２に伝送する。そして、携帯型音響装置１００の制御部７が、通信部２を介して通知データを受信すると、ストリーミング再生しようとしている楽曲と同じ楽曲をナビゲーション装置２００が保持していると判断し（ステップＳ２のＹ）、ステップＳ３で、制御部７は、ストリーミング再生は実施しない。
【００４６】
一方、ナビゲーション装置２００では、ステップＳ８の後、ステップＳ９で、制御部２６は、上記楽曲ファイルの音声データを記憶装置１５から読み出して通常再生させる。そして、再生が終了すると、ステップＳ１０で、制御部２６は、その旨を通知する通知データを通信部１４を介して通信部２に伝送する。そして、ステップＳ４で、制御部７が、通信部２を介して通知データを受信すると、次にストリーミング再生しようとする楽曲ファイルについてステップＳ１の処理に戻る。
【００４７】
また、ステップＳ７で、受信した楽曲情報と一致するメタデータを有する楽曲ファイルが記憶装置１５に記憶されていなければ（ステップＳ７のＮ）、ステップＳ１１に進み、制御部２６は、その旨を通知する通知データを通信部１４を介して通信部２に伝送する。そして、携帯型音響装置１００の制御部７が、通信部２を介して通知データを受信すると、ストリーミング再生しようとしている楽曲と同じ楽曲をナビゲーション装置２００が保持していないと判断し（ステップＳ２のＮ）、ステップＳ５およびステップＳ１２で、携帯型音響装置１００とナビゲーション装置２００が協働してストリーミング再生が実施される。ストリーミング再生により、記憶装置１に記憶された楽曲ファイルの音声データがスピーカ２０から再生される。そして、ストリーミング再生が終了すると、次にストリーミング再生しようとする楽曲ファイルについてステップＳ１の処理に戻る。
【００４８】
このように、ストリーミング再生しようとしている楽曲と同じ楽曲がナビゲーション装置２００側に保持されていれば、ナビゲーション装置２００側で保持されている楽曲を再生し、携帯型音響装置１００側ではストリーミング再生を実施しないので、低消費電力が望ましい携帯型音響装置１００の無駄な電力消費を抑えることが可能となる。
【００４９】
次に、図２を用いて説明した楽曲ファイル再生制御の変形例について、図３のフローチャートを用いて説明する。
【００５０】
図３に示す処理は、携帯型音響装置１００の操作部６によりストリーミング再生開始操作が行われると開始される。まず、ステップＳ２１で、携帯型音響装置１００の制御部７は、ストリーミング再生しようとしている楽曲ファイルのメタデータを楽曲情報として通信部２を介して通信部１４に伝送する。楽曲情報については上述した通りである。
【００５１】
そして、ステップＳ２９で、ナビゲーション装置２００の制御部２６が通信部１４を介して楽曲情報を受信すると、ステップＳ３０に進み、制御部２６は、受信した楽曲情報と一致するメタデータを有する楽曲ファイルが記憶装置１５に記憶されているか判定する。
【００５２】
もし、そのような楽曲ファイルが記憶装置１５に記憶されていれば（ステップＳ３０のＹ）、ステップＳ３１に進み、制御部２６は、その旨を通知する通知データを通信部１４を介して通信部２に伝送する。そして、携帯型音響装置１００の制御部７が、通信部２を介して通知データを受信すると、ストリーミング再生しようとしている楽曲と同じ楽曲をナビゲーション装置２００が保持していると判断し（ステップＳ２２のＹ）、ステップＳ２３で、制御部７は、ナビゲーション装置２００側で再生させるか否かをユーザが選択するための画面を表示部３に表示させる。本画面の一例を、図４に示す。
【００５３】
上記選択画面においてナビゲーション装置２００側で再生させることが操作部６により選択されると（ステップＳ２４のＹ）、ステップＳ２５に進み、制御部７は、再生指示を通信部２を介して通信部１４へ伝送し、ストリーミング再生は実施しない。そして、制御部２６が通信部１４を介して再生指示を受信すると（ステップＳ３２のＹ）、ステップＳ３３に進み、制御部２６は、上記楽曲ファイルの音声データを記憶装置１５から読み出して通常再生させる。そして、再生が終了すると、ステップＳ３４で、制御部２６は、その旨を通知する通知データを通信部１４を介して通信部２に伝送する。そして、ステップＳ２６で、制御部７が、通信部２を介して通知データを受信すると、次にストリーミング再生しようとする楽曲ファイルについてステップＳ２１の処理に戻る。
【００５４】
また、上記選択用画面においてナビゲーション装置２００側で再生させないことが操作部６により選択されると（ステップＳ２４のＮ）、ステップＳ２７に進み、制御部７は、再生しない指示を通信部２を介して通信部１４へ伝送し、制御部２６が通信部１４を介して再生しない指示を受信すると（ステップＳ３２のＮ）、ステップＳ２８およびステップＳ３６で、携帯型音響装置１００とナビゲーション装置２００が協働してストリーミング再生が実施される。そして、ストリーミング再生が終了すると、次にストリーミング再生しようとする楽曲ファイルについてステップＳ２１の処理に戻る。
【００５５】
また、ステップＳ３０で、受信した楽曲情報と一致するメタデータを有する楽曲ファイルが記憶装置１５に記憶されていなければ（ステップＳ３０のＮ）、ステップＳ３５に進み、制御部２６は、その旨を通知する通知データを通信部１４を介して通信部２に伝送する。そして、携帯型音響装置１００の制御部７が、通信部２を介して通知データを受信すると、ストリーミング再生しようとしている楽曲と同じ楽曲をナビゲーション装置２００が保持していないと判断し（ステップＳ２２のＮ）、ステップＳ２８およびステップＳ３６で、携帯型音響装置１００とナビゲーション装置２００が協働してストリーミング再生が実施される。そして、ストリーミング再生が終了すると、次にストリーミング再生しようとする楽曲ファイルについてステップＳ２１の処理に戻る。
【００５６】
このように、ストリーミング再生しようとしている楽曲と同じ楽曲がナビゲーション装置２００側に保持されていれば、ナビゲーション装置２００からの通知により携帯型音響装置１００に選択用画面が表示され、ユーザによりナビゲーション装置２００側で再生させることが選択されると、ナビゲーション装置２００側で保持されている楽曲を再生し、携帯型音響装置１００側ではストリーミング再生を実施しないので、低消費電力が望ましい携帯型音響装置１００の無駄な電力消費を抑えることが可能となる。また、ユーザによりナビゲーション装置２００側で再生しないことが選択されれば、ストリーミング再生が実施されるので、ユーザは再生したい方の楽曲ファイルを再生させることができる。
【００５７】
以上、本発明の実施形態について説明したが、本発明の趣旨の範囲内であれば、実施形態は様々に変更が可能である。
【００５８】
例えば、音声データおよび制御系データの伝送には無線に限らず、ＵＳＢ（Universal Serial Bus）などの有線を用いてもよい。
【００５９】
また、本発明の据置型音響装置は、車載用ナビゲーション装置に限らず、車載用オーディオ機器や、家庭用のオーディオコンポなどに適用してもよい。
【符号の説明】
【００６０】
１００  携帯型音響装置
２００  ナビゲーション装置
１    記憶装置
２    通信部
３    表示部
４    音源回路部
５    音声処理部
６    操作部
７    制御部
８    音声端子
９    イヤホン
１０    ＧＰＳ部
１１    ジャイロセンサ
１２    車速センサ
１３    インターフェース部
１４    通信部
１５    記憶装置
１６    描画部
１７    表示制御部
１８    表示部
１９    音源回路部
２０    スピーカ
２１    音声処理部
２２    インターフェース部
２３    ハードキー
２４    位置検出部
２５    タッチパネル
２６    制御部
【図１】
2011137977.tif 000003
【図２】
2011137977.tif 000004
【図３】
2011137977.tif 000005
【図４】
2011137977.tif 000006